(57)【要約】【課題】  根菜類と一緒に掘り取られた茎葉や夾雑物がガードパイプや機枠に挟まって搬送処理が滞ってしまうのを防止し、根菜類を円滑かつ迅速に次工程へ搬送して収穫作業を効率よく行うことができる根菜類収穫機のコンベヤ装置を提供する。【解決手段】  掘り取った根菜類を載置して搬送する送りコンベヤ４と、この送りコンベヤ４の上方に根菜類の通過空間を確保する距離を隔てて配置された補助コンベヤ６とを有し、送りコンベヤ４および補助コンベヤ６の間で根菜類を狭持して搬送する根菜類収穫機２のコンベヤ装置１であって、補助コンベヤ６は、幅方向の両端から送りコンベヤ４側に先端を延出させた根菜こぼれ防止部６６を有するコンベヤロッド６５を搬送方向に沿って所定の間隔で配置している。【選択図】  図１
2005287399.tif 000002
【特許請求の範囲】
【請求項１】
掘り取った根菜類を載置して搬送する送りコンベヤと、この送りコンベヤの上方に根菜類の通過空間を確保する距離を隔てて配置された補助コンベヤとを有し、前記送りコンベヤおよび補助コンベヤの間で根菜類を狭持して搬送する根菜類収穫機のコンベヤ装置であって、
前記補助コンベヤの幅方向における両端位置には、前記送りコンベヤ側にその先端を延出させた根菜こぼれ防止部が搬送方向に沿って所定の間隔を隔てて設けられていることを特徴とする根菜類収穫機のコンベヤ装置。
【請求項２】
請求項１において、前記補助コンベヤは、幅方向に跨って固定されるコンベヤロッドを搬送方向に所定の間隔を隔てて複数配置し、これらのコンベヤロッドの両端に前記根菜こぼれ防止部を一体または別体に設けたことを特徴とする根菜類収穫機のコンベヤ装置。
【請求項３】
請求項１または請求項２において、前記根菜こぼれ防止部には、弾性被覆材が被せられていることを特徴とする根菜類収穫機のコンベヤ装置。
【発明の詳細な説明】
【技術分野】
【０００１】
本発明は、掘り取ったビート等の根菜類を次工程へ搬送するための根菜類収穫機のコンベヤ装置に関するものである。
【背景技術】
【０００２】
従来より、ビート等の根菜類を収穫する場合、図７および図８に示すような根菜類収穫機１２が使用されている。この根菜類収穫機１２は、ヒッチ１３を介してトラクタの３点支持装置に連結されるとともに、トラクタ後部の外部動力取出軸（ＰＴＯ軸）と前記根菜類収穫機１２の動力取入軸（ＰＩＣ軸）とをユニバーサルジョイントによって連結し、トラクタの駆動動力が取り入れられるようになっている。そして、根菜類を収穫する場合、地面から露出した根部周辺の茎葉や夾雑物をクリーナ装置１４によって除去した後、根菜掘取部３の掘取刃３ａを使って根菜類を掘り出し、この根菜類を送りコンベヤ１５と補助コンベヤ１６との間に狭持しながら次工程の昇降機１７へと搬送し、昇降機１７内のロータリーバケット１８によって上部の送りコンベヤ２１へと移送して収容タンク１９内に収容するようになっている。
【０００３】
以上のような根菜類収穫機１２において、従来における根菜類を搬送するコンベヤ装置１１としては、図９に示すように、根菜掘取部３の後方に送りコンベヤ１５が斜め上方に傾斜されて機枠５に支持されており、この送りコンベヤ１５の上方に根菜類の通過空間分だけ距離を隔てて補助コンベヤ１６が配置されている。送りコンベヤ１５は、送り駆動ローラ１５ａおよび送り従動ローラ１５ｂにロッドチェーン１５ｃを巻回して構成されている。また、補助コンベヤ１６は、補助駆動ローラ１６ａおよび補助従動ローラ１６ｂに２本のゴムベルト１６ｃが巻回されており、これらのゴムベルト１６ｃに跨るようにして複数の直棒ロッド１６ｄが搬送方向に沿って所定間隔を隔てて固定されている。そして、送りコンベヤ１５および補助コンベヤ１６はいずれも単純な直棒ロッド１６ｄにより構成されているため、両コンベヤ間の脇から根菜類がこぼれ落ちないように、両者間の脇にガードパイプ２０が配置されている。
【０００４】
そして、根菜掘取部３の掘取刃３ａにより掘り出された根菜類を送りコンベヤ１５の上面に載せ、補助コンベヤ１６の下面とともに前記根菜類を狭持することによって搬送途中で根菜類が転がるのを防止し、また、送りコンベヤ１５の脇からこぼれ落ちるのをガードパイプ２０によって防止し、次工程へと搬送する。
【０００５】
一方、前述した根菜類収穫機１２のコンベヤ装置１１に関する特許文献としては、特開２００３−１１６３１０号公報に記載のコンベヤ装置が挙げられる（特許文献１）。この発明は、コンベヤ装置と一体又は連動して上下変位する支持フレームに、コンベヤ装置の昇降位置を感知するセンサを設け、このセンサの降下検出信号でコンベヤ装置を作動させ、上昇検出信号でコンベヤ装置の作動を停止させる制御手段を備えている。これにより、コンベヤ装置の上下移動に伴ってコンベヤが駆動・停止するため、コンベヤ装置の運転操作が簡単になるとされる。
【０００６】
【特許文献１】特開２００３−１１６３１０号公報
【発明の開示】
【発明が解決しようとする課題】
【０００７】
しかしながら、特許文献１に記載された発明を含め、従来のコンベヤ装置１１においては、送りコンベヤ１５および補助コンベヤ１６間の横側に、こぼれ防止用のガードパイプ２０等が配置されているため、根菜類と同時に掘り取られた茎葉や夾雑物がガードパイプ２０や機枠５の間、特にこれらの交差部分に挟まって滞留してしまうという欠点があり、円滑で迅速な搬送の邪魔になるという問題がある。
【０００８】
本発明は、このような問題点を解決するためになされたものであって、根菜類と一緒に掘り取られた茎葉や夾雑物がガードパイプや機枠に挟まって搬送処理が滞ってしまうのを防止し、根菜類を円滑かつ迅速に次工程へ搬送して収穫作業を効率よく行うことができる根菜類収穫機のコンベヤ装置を提供することを目的としている。
【課題を解決するための手段】
【０００９】
本発明に係る根菜類収穫機のコンベヤ装置の特徴は、掘り取った根菜類を載置して搬送する送りコンベヤと、この送りコンベヤの上方に根菜類の通過空間を確保する距離を隔てて配置された補助コンベヤとを有し、前記送りコンベヤおよび補助コンベヤの間で根菜類を狭持して搬送する根菜類収穫機のコンベヤ装置であって、前記補助コンベヤの幅方向における両端位置には、前記送りコンベヤ側にその先端を延出させた根菜こぼれ防止部が搬送方向に沿って所定の間隔で設けられている点にある。
【００１０】
また、本発明において、前記補助コンベヤは、幅方向に跨って固定されるコンベヤロッドを搬送方向に所定の間隔を隔てて複数配置し、これらのコンベヤロッドの両端に前記根菜こぼれ防止部を一体または別体に設けていることが好ましい。
【００１１】
さらに、本発明において、前記根菜こぼれ防止部には、弾性被覆材が被せられていることが好ましい。
【発明の効果】
【００１２】
本発明によれば、根菜類と一緒に掘り取られた茎葉や夾雑物がガードパイプや機枠に挟まって搬送処理が滞ってしまうのを防止し、根菜類を円滑かつ迅速に次工程へ搬送して収穫作業を効率よく行うことができる。
【発明を実施するための最良の形態】
【００１３】
以下、本発明に係る根菜類収穫機２のコンベヤ装置１の実施形態について図面を用いて説明する。なお、根菜類収穫機２の構成のうち従来の構成と同一若しくは相当する構成については同一の符号を付して説明する。
【００１４】
図１は、本発明に係るコンベヤ装置１の実施形態を示す正面図であり、図２はその斜視図である。また、図３は、本実施形態のコンベヤ装置１を装着した根菜類収穫機２の側面図である。本実施形態のコンベヤ装置１を有する根菜類収穫機２は、ヒッチ１３を介してトラクタの３点支持装置に連結されるとともに、トラクタ後部の外部動力取出軸（ＰＴＯ軸）と根菜類収穫機２の動力取入軸（ＰＩＣ軸）とをユニバーサルジョイントによって連結し、トラクタの駆動動力が取り入れられるようになっている。そして、根菜類を収穫する場合、地面から露出した根部周辺の茎葉や夾雑物をクリーナ装置１４によって除去した後、根菜掘取部３の掘取刃３ａを使って根菜類を掘り出し、この根菜類を本実施形態のコンベヤ装置１によって次工程の昇降機１７へと搬送し、昇降機１７内のロータリーバケット１８によって上部の送りコンベヤへと移送して収容タンク１９内に収容するようになっている。
【００１５】
そして、本実施形態のコンベヤ装置１は、図１および図２に示すように、根菜掘取部３の後方に送りコンベヤ４が斜め上方に傾斜されて機枠５に支持されており、この送りコンベヤ４の上方に根菜類の通過空間分だけ距離を隔てて補助コンベヤ６が配置されている。送りコンベヤ４は、送り駆動ローラ４１および送り従動ローラ４２に左右２本のゴムベルト４３を巻回して構成されており、これらのゴムベルト４３に跨るようにして複数の直棒ロッド４４が搬送方向に沿って所定間隔を隔てて固定されている。ゴムベルト４３は下方に回転自在に支持された複数のテンションローラ４５およびテンション調整ローラ４６にも巻回されており、ゴムベルト４３に張力が付与され、適宜調整される。なお、直棒ロッド４４の配置間隔は根菜類が落下しないように収穫する根菜類の最小サイズより狭く設定されている。
【００１６】
補助コンベヤ６は、根菜掘取部３から送りコンベヤ４の終端部に至る行程をカバーするように根菜類の通過空間距離を隔てて上方に配置され、根菜掘取部３における根菜類の掘りこぼしを防止し、搬送中に根菜類が送りコンベヤ４からこぼれるのを防止する役割を果たすものである。補助コンベヤ６は、補助駆動ローラ６１、補助従動ローラ６２およびテンションローラ６３に２本のゴムベルト６４が巻回されており、これらのゴムベルト６４に跨るようにして複数のコンベヤロッド６５が搬送方向に沿って所定間隔を隔てて固定されている。
【００１７】
また、補助コンベヤ６に使用されるコンベヤロッド６５は、図４に示すように、断面略コの字状に形成されており、その同方向に折り曲げられた両端を根菜こぼれ防止部６６として送りコンベヤ４側に向けて配置される。あるいは図５に示すように、コンベヤロッド６５は、根菜こぼれ防止部６６を別体に形成し、直棒状のコンベヤロッド６５の両端に断面略Ｌ字状に形成した根菜こぼれ防止部６６をネジ止めして構成するようにしてもよい。前記根菜こぼれ防止部６６の長さは、根菜の通過空間高さよりも短くし、送りコンベヤ４に接触しない寸法に設定しており、根菜こぼれ防止部６６と送りコンベヤ４との間、あるいは隣り合う根菜こぼれ防止部６６の間に茎葉や夾雑物が挟まって滞留しないようになっている。また、図６に示すように、根菜こぼれ防止部６６には、搬送する根菜類に傷が付かないようにするため、ゴムキャップなどの弾性被覆材６７が被せられるのが好ましい。なお、補助コンベヤ６は図示しない調整ロットや圧縮スプリングによって重さや高さの調整ができるようになっている。
【００１８】
つぎに、本実施形態における根菜類収穫機２のコンベヤ装置１による作用を説明する。
【００１９】
まず、根菜類収穫機２における根菜掘取部３の掘取刃３ａによって土中の根菜類を掘り出し、この根菜類を補助コンベヤ６のコンベヤロッド６５によって上方から押さえつつ、送りコンベヤ４の始端部へと搬送される。これにより、根菜掘取部３における掘りこぼしが防止され効率的に収穫できる。つぎに、送りコンベヤ４へ搬送された根菜類は、送りコンベヤ４の直棒ロッド４４の上面と、補助コンベヤ６のコンベヤロッド６５の下面によって狭持され、傾斜面から転がり落ちるのを防止されながら上方へと搬送される。また、各直棒ロッド４４の隙間からはビートに付着している茎葉や土砂等の夾雑物がふるい落とされる。さらに、根菜類と一緒に茎葉や夾雑物が搬送されてきても、従来のようにガードパイプ２０が配置されていないし、根菜こぼれ防止部６６と送りコンベヤ４との間に適当な隙間が空けられているため、送りコンベヤ４上で根菜類が滞留してしまうこともなく、スピーディに搬送できる。
【００２０】
また、搬送中に根菜類が送りコンベヤ４の幅方向に転がってもコンベヤロッド６５の根菜こぼれ防止部６６に当接して静止されるため、送りコンベヤ４のサイドから根菜類がこぼれ落ちることもない。もちろん、根菜類が根菜こぼれ防止部６６に当接しても弾性被覆材６７によって緩衝され傷つくこともない。このようにして根菜類が送りコンベヤ４の終端部まで搬送されて次工程へと受け渡され、昇降機１７および上方の送りコンベヤを経て収容タンク１９に収容される。
【００２１】
以上のような本実施形態によれば、根菜こぼれ防止部６６を設けることにより、ガードパイプ２０等のこぼれ防止具を無くすることができるため、茎葉などの夾雑物が挟まって搬送処理が滞ってしまうのを防止でき、根菜類を傷付けることもない。これにより掘り取った根菜類を円滑かつ迅速に次工程へ搬送して収穫作業を効率よく行うことができる。
【００２２】
なお、本発明に係る根菜類収穫機２のコンベヤ装置１は、前述した実施形態に限定されるものではなく、適宜変更することができる。例えば、本実施形態では、根菜こぼれ防止部６６がコンベヤロッド６５の両端部に一体に形成されるか、あるいは別体に取り付けられているが、これに限る必要はなく、根菜類が送りコンベヤ４のサイドからこぼれ落ちるのを防止する機能を果たし得るのであれば、複数の断面略Ｌ字状の根菜こぼれ防止部６６を適当な間隔を隔ててゴムベルト６４に直接取り付ける構成にしてもよい。
【図面の簡単な説明】
【００２３】
【図１】本発明に係る根菜類収穫機のコンベヤ装置の実施形態を示す正面図である。
【図２】本実施形態の根菜類収穫機のコンベヤ装置の斜視図である。
【図３】本実施形態の根菜類収穫機のコンベヤ装置を装着した根菜類収穫機の側面図である。
【図４】本実施形態のコンベヤロッドの斜視図である。
【図５】本実施形態のコンベヤロッドの他の実施形態を示す斜視図である。
【図６】本実施形態の根菜こぼれ防止部に弾性被覆材を被せた状態を示す斜視図である。
【図７】従来の根菜類収穫機を示す正面図である。
【図８】図７の側面図である。
【図９】従来のコンベヤ装置を示す側面図である。
【符号の説明】
【００２４】
１  コンベヤ装置
２  根菜類収穫機
３  根菜掘取部
３ａ  掘取刃
４  送りコンベヤ
５  機枠
６  補助コンベヤ
１１  従来のコンベヤ装置
１２  従来の根菜類収穫機
１３  ヒッチ
１４  クリーナ装置
１５  従来の送りコンベヤ
１５ａ  送り駆動ローラ
１５ｂ  送り従動ローラ
１５ｃ  ロッドチェーン
１６  従来の補助コンベヤ
１６ａ  補助駆動ローラ
１６ｂ  補助従動ローラ
１６ｃ  ゴムベルト
１６ｄ  直棒ロッド
１７  昇降機
１８  ロータリーバケット
１９  収容タンク
２０  ガードパイプ
２１  上部の送りコンベヤ
４１  送り駆動ローラ
４２  送り従動ローラ
４３  ゴムベルト
４４  直棒ロッド
４５  テンションローラ
４６  テンション調整ローラ
６１  補助駆動ローラ
６２  補助従動ローラ
６３  テンションローラ
６４  ゴムベルト
６５  コンベヤロッド
６６  根菜こぼれ防止部
６７  弾性被覆材
【図１】
2005287399.tif 000003
【図２】
2005287399.tif 000004
【図３】
2005287399.tif 000005
【図４】
2005287399.tif 000006
【図５】
2005287399.tif 000007
【図６】
2005287399.tif 000008
【図７】
2005287399.tif 000009
【図８】
2005287399.tif 000010
【図９】
2005287399.tif 000011